(57)【要約】      （修正有）【課題】所定の間隔で安全灯、保安灯を多数設置する場合において、最も簡単な方法で設置、撤収ができる発光ユニット付きケーブルを提供する。【解決手段】発光ユニット付きケーブルで、一定の間隔毎に、複数の保安灯等を点灯させる場合において、一本のケーブルで構成し、ケーブル上の特定の点灯箇所に、１個または複数個で構成された発光素子とケーブル２からの給電機構をそなえた発光ユニット１をケーブルに装着し、ケーブルをドラム等に巻き取る時にケーブル上に発光ユニットが装着されていても、巻き取りに支障がないように構成した発光ユニット付きケーブルである。【選択図】図１
2005215660.tif 000002
【特許請求の範囲】
【請求項１】
帯状のゴムケーブルに平行に被覆給電線を接着もしくは埋め込んだ単一の複合ケーブルと、発光素子で構成された発光ユニットをケーブル上に複数装着した発光ユニット付ケーブルであって、発光ユニットの下部に正負電極用の２個の給電刃をそなえ、発光ユニットの下の給電線に給電刃を刺着し、複数の発光ユニットへの電源の供給が可能なことを特徴とする発光ユニット付ケーブル。
【請求項２】
発光ユニット付ケーブル上の複数の発光ユニットの上にカラーコーン等の内照式保安器具を置くだけで、複数の保安器具を同時に光らせることができることを特徴とする請求項１記載の発光ユニット付ケーブル。
【請求項３】
発光ユニット内のＬＥＤを直列に接続し、ＬＥＤの電圧降下と電流制限抵抗の電圧降下の合計が給電線からの電源電圧と等しくなるように構成した請求項１記載の発光ユニット付ケーブル。
【請求項４】
発光ユニット内のＬＥＤを直線上に並べ、ＬＥＤを搭載した基板経由でその真下に給電線が配置されるように構成され、ＬＥＤの上から力が加わっても、給電線がＬＥＤからの力を受けとめ、発光ユニットの上からの耐圧力を強化したことを特徴とする請求項１記載の発光ユニット付ケーブル。
【請求項５】
発光ユニット内の供給電圧を直流１２Ｖ又はその他の直流電圧で行い、電源をバッテリー又はＡＣアダプターで供給することを特徴とした請求項１記載の発光ユニット付ケーブル。
【請求項６】
帯状ゴムに平行して給電線と同じ幅の溝を掘り、給電線を埋め込んだ構造としたことを特徴とする請求項１記載の発光ユニット付ケーブル。
【請求項７】
発光ユニット付ケーブルはケーブル断面の最大高さと最大幅の比率が１対４以上の帯状ケーブルで、地上に敷設する際に容易にねじれが起きないことを特徴とした請求項１記載の発光ユニット付ケーブル。
【請求項８】
発光ユニットの高さをドラム径に比べて十分小さくし、ケーブル上に複数の発光ユニットを設置しても、ケーブル全体をドラムに巻取ることが可能な請求項１記載の発光ユニット付ケーブル。
【請求項９】
発光ユニット付ケーブルの断面を台形とし、ケーブルの巻き取り性能の向上と、ケーブル全体の重量を軽減したことを特徴とする請求項１記載の発光ユニット付ケーブル。
【請求項１０】
発光ユニット付ケーブルに取り付ける発光ユニットを着脱可能とし、定められた保安灯設置間隔に発光ユニット取り付けることにより、現場での設置間隔の計測無しで保安灯を設置できることを特徴とする請求項１記載の発光ユニット付ケーブル。
【発明の詳細な説明】
【発明の詳細な説明】
【技術分野】
【０００１】本発明は、夜間工事、ディスプレイ等で使用する発光ユニット付ケーブルに関する。
【背景技術】
【０００２】夜間に道路上で工事を行う場合、通行する車両や歩行者のために工事場所を明示する保安灯の設置が義務化されている。一般的に夜間工事は該当場所に自照式カラーコーン等を一定の間隔で並べて構成する。従来、自照式カラーコーンの照明方法はカラーコーンの中に白熱電球を入れ、ＡＣ１００Ｖの電源をそれぞれに配線する方法が一般的である。また、配線を不要にするＬＥＤ素子を電池で発光させるユニットをカラーコーン内部に装着する器具もある。また、ＡＣ１００Ｖの電源の配線方法に関して、ムカデケーブルと呼ばれる１本の線から多数のＴ字型分岐をつけ、ケーブル配線を簡略化した方法もある。
【発明が解決しようとする課題】
【０００３】上記のような従来の方法による夜間工事用の保安灯の設置方法は、保安灯を多数設置する場合、ケーブルと電球が分離されているため、設置時の電球の取り付け、撤収時の電球の取り外し作業はかなりの工数を要し、夜間の作業時間は限定されるため、仮設工事、撤収工事の時間が本工事の時間に食い込むことになり、全体の工期に影響を及ぼしている。
【０００４】また内照式照明灯にＡＣ１００Ｖの電球を使用するため、電力供給は電柱からの給電か自家発電機を使用する必要がある。電柱からの給電は電力会社との交渉に時間がかかり、実際的ではないため、ほとんど自家発電機を使用している。ところが夜間工事のため、騒音が問題になり、住民とのトラブルも少なくはない。また、自家発電機のエンジンの排気ガスも問題になる。その上、保安灯に多数の電球を使うため、省エネルギーの面からも課題がある。
【０００５】保安灯機材の保管、運搬の面から見ると、電球を使った自照式カラーコーンは電球取り付け部分がカラーコーン内部にあるため、積み重ねて保管できず、保管面積も大きくなる。電池式カラーコーンも電池が内部にあるため積み重ねて保管、運搬ができない。
【課題を解決するための手段】
【０００６】上記課題を解決するために本発明の発光ユニット付ケーブルは以下の解決策を有する。発光ユニット付ケーブルは保安灯の内照用として、帯状のゴムケーブルに平行に被覆給電線を接着もしくは埋め込んだ単一の複合ケーブルと、発光素子で構成された発光ユニットをケーブル上に複数装着した発光ユニット付ケーブルであって、ドラムで巻き取れる構造になっている。設置時にはドラムに巻いたケーブルを道路上に敷設し、発光ユニットの上にカラーコーンを置くだけで、保安灯の設置が完了する。撤収時はカラーコーンを取り除き、ケーブルをドラムに巻くだけで完了する。
【０００７】発光ユニットの発光素子はＬＥＤで発光ユニット当たりの消費電力は微小であり、現在保安灯に使われている電球の約１００分の１の消費電力で実用照度が得られる。そのため、バッテリーでの長時間駆動が可能なため、自家発電機が不要になり、騒音、排ガス、省エネルギーの課題が解決する。
【０００８】保管、運搬面から見ると、市販の普通のカラーコーンが使え、積み重ねて保管することができ、保管面積が少なくなり、運送面でもメリットがある。また、安価な市販のカラーコーンが使える。
【０００９】本発明は単一のケーブルと、一つ又は複数の発光素子で構成された発光ユニットをケーブル上に所定の複数の位置に取り付けた発光ユニット付ケーブルであって、発光ユニットの下部に２個又は複数の給電刃をそなえ、発光ユニットの真下の給電線に直接に給電刃を挿入するだけで発光ユニットへ電源の供給が可能である。
【００１０】また、本発明は発光ユニット付ケーブル上の発光ユニットの上にカラーコーン等の内照式保安器具を置くだけで、複数の保安器具を一度に光らせることができる。
【００１１】また、本発明は発光ユニット内のＬＥＤを直列に接続し、ＬＥＤの電圧降下と電流制限抵抗の電圧降下の合計が給電線からの電源電圧と等しくなるように構成した。
【００１２】また、本発明は発光ユニット内のＬＥＤを直線上に並べ、真下に給電線が配置されるように構成され、ＬＥＤに上方から力が加わっても、給電線がＬＥＤからの力を受け、給電ユニットの上方からの耐圧力を強化した。
【００１３】また、本発明は発光ユニット内の供給電圧を直流１２Ｖ又はその他の直流電圧で行い、電源をバッテリー又はＡＣアダプターで供給することが可能である。
【００１４】また、本発明は発光ユニット付ケーブルは帯状ゴムに溝を掘り、給電線を埋め込んだ構造とした。
【００１５】また、本発明の保安灯照明用発光ケーブルは下部の断面の幅と高さの比率が４：１以上ある帯状ケーブルで、地上に敷設しても容易にケーブルのねじれが起きないようにした。
【００１６】また、本発明は発光ユニット付きケーブル上に複数の発光ユニットを設置しても、ドラム径に比べて発光ユニットの高さが低く、ケーブル全体をドラムに巻取ることが可能である。
【００１７】また、本発明は発光ユニット付ケーブルの断面を台形とし、ケーブルの巻き取り性能の向上と、ケーブル全体の重量を軽減した。
【００１８】また、本発明は発光ユニット付ケーブルに取り付ける発光ユニットを着脱可能とし、定められた保安灯設置間隔に発光ユニット取り付けることにより、現場での設置間隔の計測無しで保安灯を設置できる。
【００１９】また。このように本発明の発光ユニット付ケーブルはカラーコーンに手を加えず通常の市販のカラーコーンがそのまま使え、ケーブルを敷設するだけで、昼用のカラーコーンが夜間工事用自照式保安灯にすることができる。カラーコーンの設置は工事現場によっては数百個設置しなければならずこの発光ユニット付ケーブルを使うことにより大幅な省力化が可能である。
【発明を実施するための最良の形態】
【００２０】本発明の夜間土木工事においてカラーコーンを保安灯にして多数設置する場合について、図面に基づいて説明する。図１は本発明の実施形態を示す。カラーコーン照明用ケーブル２とそれに取り付けられたＬＥＤ素子で構成された発光ユニット１と、バツテリー４又は直流電源４とケーブルを巻くドラム５で構成されている。カラーコーン３は発光ユニットの真上に置かれ、市販品で何の加工もされていない。【００２１】カラーコーン３照明用ケーブル２は帯状のゴム又はそれに類する材料と給電線で構成され、長さは任意の単一ケーブルである。ケーブルの特定の間隔、例えば２ｍ間隔で発光ユニット１がケーブル２と一体化した状態で取り付けられており、３０ｍのケーブルの場合１５個の発光ユニットが取り付けられている。【００２２】図２はケーブルに取り付けられた発光ユニット１の詳細図で図２（Ａ）は側面から見た図で図２（Ｂ）は断面から見た図である。図２（Ａ）ではＬＥＤ素子６を５個を直列に基板８に取り付けられている。基板８からそれぞれプラス、マイナス２個の給電刃が下方に出ており、ケーブル２の給電線に差し込まれている。給電線の電圧はＤＣ１２Ｖである。発光ユニット１は給電刃により給電線と接触しており、着脱可能で、ケーブルの任意の場所に設置できる。発光ユニット１のケーブル２への装着は発光ユニット１の本体と裏板１２の間にケーブル２が入り、ネジで発光ユニット１と貫通している。【００２３】発光ユニット１は例えば長さ５２ｍｍ、幅２０ｍｍ、高さ７．３ｍｍで長方形の形状をしており、短辺はケーブル２の幅以内であり、長辺はケーブル方向にし、ケーブル２をドラム５に巻き取りやすくしている。【００２４】保安灯の明るさについては、ＬＥＤ素子６は高輝度赤色ＬＥＤで、１個１００００ミリカンデラ以上の輝度があり、赤色ＬＥＤの波長がちょうと赤のカラーコーンの透過波長と一致し、エネルギーロスが少なく、また、カラーコーン３は上部へいくほどせまくなっており、また、ＬＥＤの照射角度との関係で、ＬＥＤを真上に向けて発光すると乱反射と直接光との組み合わせで、カラーコーン３全体が明るく発光するようになる。これらの相乗的な効果によりわずか０．４ＷのしＥＤでも４０Ｗの白熱電球並みの明るさが確保できる。【００２５】図３はケーブル２の断面図である。ケーブル２はケーブルベース１０と給電線９から構成されており、幅３０ｍｍの台形の形状をしている。材料はゴムである。ケーブルベース１０の上部中央に溝を掘り、給電線９を収納している。給電線９は半分飛び出ている。これは発光ユニット１のガイドを兼ねているからである。ケーブルベース１０を台形にした理由は重量の軽減と巻き取りやすさをめざしたからである。ケーブルベース１０は幅３０ｍｍであり、長く伸ばしてもねじれることは少ないので発光ユニット１が常に上を向くができる。また、ベルト状なのでドラムに巻くことができる。【００２６】図２、図３を参照し、発光ユニット１の詳細な構造について説明する。図２は本発明の発光ユニットの構造図である。ＬＥＤ素子６が５個、基板８上に配置されており、それぞれのＬＥＤはとなりのＬＥＤのカソードからアノードへ直結されている。終端のＬＥＤのアノード、カソードはそれぞれアノード給電刃９から２芯ケーブルのプラス側の芯線に押し込み接触される。カソードは給電刃９を経由してマイナス側の芯線に押し込み接続される。どちらもケーブルの被覆を破って芯線に接続する。従って、２芯ケーブルには何ら加工の必要性はない。また、設置間隔の変更も可能になる。ＬＥＤ５個の直列接続はＬＥＤの電圧が２．５Ｖの場合、２．５ｘ５で１２．５Ｖになり、電源に１２Ｖを供給すれば、規定電圧内でＬＥＤ点灯のための電流制限抵抗だけでＬＥＤの点灯が可能になる。ケーブルは発光ユニット１の内部に取り込まれており、内部はレジン等により固め、外部強度の強化と防水、絶縁を図っている・
【発明の効果】
【００２７】本発明は以上のように構成したので次のような効果を奏することができる。単一のケーブル上に所定間隔毎に発光ユニットを半固定的に取り付け、ケーブル地面又は床面上に伸展させて配置するので、設置作業はケーブルを伸ばすだけになり、カラーコーンの設置を迅速且つ能率的に行うことができる。またケーブルの設置、収納は、発光ユニットが小型でケーブル方向に配置されているので、ドラム等で簡単に巻き取ることができる。
【００２８】このように本発明の発光ユニット付ケーブルはカラーコーンに手を加えず通常の昼用カラーコーンがそのまま使え、ケーブルを敷設するだけで、昼用カラーコーンが夜間工事用自照式保安灯にすることができる。カラーコーンの設置は工事現場によっては数百個設置しなければならずこの発光ユニット付ケーブルを使うことにより大幅な省力化が可能である。
【００２９】市販のカラーコーンを使うので、運搬、保管面からも大量のカラーコーンを積み重ねて保管、運搬できるので、省スペース化が可能である。
【００３０】環境面から見て、ＬＥＤは低消費電力なのでバッテリーが使え、自家発電機による夜間の騒音、排気ガスの問題が解決した。
【図面の簡単な説明】
【図１】全体の構成図
【図２】発光ユニット側面図、断面図
【図３】ケーブルの断面図
【符号の説明】
１．．．．．．発光ユニット
２．．．．．．ケーブル
３．．．．．．カラーコーン
４．．．．．．電池又はＤＣ電源
５．．．．．．巻き取りドラム
６．．．．．．ＬＥＤ素子
７．．．．．．給電刃
８．．．．．．プリント基板
９．．．．．．給電線
１０．．．．．ケーブルベース
１１．．．．．取り付けネジ
１２．．．．．裏板
【図１】
2005215660.tif 000003
【図２】
2005215660.tif 000004
【図３】
2005215660.tif 000005